(57)【要約】【課題】記録媒体にトナー像を形成する作像手段と、作像手段によって形成された記録媒体上のトナー像を記録媒体に定着する定着装置と、作像手段と定着装置を収容する本体筐体とを具備し、定着装置は、記録媒体上のトナー像に熱を与えて該トナー像を記録媒体に定着する定着ベルトと、該定着ベルトを加熱するための電磁誘導コイルと、該電磁誘導コイルに電流を供給するＩＨ電源とを有している画像形成装置において、ＩＨ電源にて発生した熱が操作者に当って操作者に不快感を与える不具合を阻止する。【解決手段】操作者ＯＰが向き合う側の本体筐体前部４Ｆと、該前部４Ｆと反対側の本体筐体後部４Ｒとの間の中間位置ＣＬよりも本体筐体後部４Ｒの側に、定着装置のＩＨ電源４３を配置する。【選択図】図４
2007286260.tif 000002
【特許請求の範囲】
【請求項１】
記録媒体にトナー像を形成する作像手段と、該作像手段によって形成された記録媒体上のトナー像を該記録媒体に定着する定着装置と、前記作像手段と定着装置を収容する本体筐体とを具備し、前記定着装置は、記録媒体上のトナー像に熱を与えて該トナー像を記録媒体に定着する定着部材と、該定着部材を加熱するための電磁誘導コイルと、該電磁誘導コイルに電流を供給する電源とを有している画像形成装置において、
操作者が向き合う側の本体筐体前部と、該前部と反対側の本体筐体後部との間の中間位置よりも本体筐体後部の側に、前記定着装置の電源が配置されていることを特徴とする画像形成装置。
【請求項２】
前記定着装置の電源は前記本体筐体の本体フレームを構成する後側板よりも本体筐体後部の側に配置されている請求項１に記載の画像形成装置。
【請求項３】
前記定着装置の電源にて発生した熱が、画像形成装置の電子基板に伝わることを阻止し、ないしは抑制する少なくとも１つの熱遮断壁を、前記定着装置の電源と電子基板との間に設けた請求項１又は２に記載の画像形成装置。
【請求項４】
前記定着装置の電源にて発生した熱が、トナーを収容した容器に伝わることを阻止し、ないしは抑制する少なくとも１つの熱遮断壁を、前記定着装置の電源とトナーを収容した容器との間に設けた請求項１乃至３のいずれかに記載の画像形成装置。
【請求項５】
前記熱遮断壁が、前記本体筐体の本体フレームによって構成されている請求項３又は４に記載の画像形成装置。
【請求項６】
原稿画像を読み取る画像読取装置を有し、該画像読取装置は、前記本体筐体の上部に搭載されていると共に、前記定着装置の電源の上方には配置されていない請求項１乃至５のいずれかに記載の画像形成装置。
【請求項７】
前記本体筐体に排気口が形成されている請求項１乃至６のいずれかに記載の画像形成装置。
【請求項８】
前記排気口よりも下方に位置する本体筐体部分に空気取入口が形成されている請求項７に記載の画像形成装置。
【請求項９】
前記定着装置の電源よりも下方にファンが設けられている請求項７又は８に記載の画像形成装置。
【請求項１０】
前記定着装置の電源には放熱フィンが固定され、該放熱フィンは、前記電源の周辺を流れる空気の流れ方向とほぼ同じ方向に延びている請求項７乃至９のいずれかに記載の画像形成装置。
【請求項１１】
前記定着装置の電源よりも下方に設けられたファンから流れる空気を前記放熱フィンに向けて案内するエアガイドが設けられている請求項１０に記載の画像形成装置。
【発明の詳細な説明】
【技術分野】
【０００１】
本発明は、記録媒体にトナー像を形成する作像手段と、該作像手段によって形成された記録媒体上のトナー像を該記録媒体に定着する定着装置と、前記作像手段と定着装置を収容する本体筐体とを具備し、前記定着装置は、記録媒体上のトナー像に熱を与えて該トナー像を記録媒体に定着する定着部材と、該定着部材を加熱するための電磁誘導コイルと、該電磁誘導コイルに電流を供給する電源とを有している画像形成装置に関する。
【背景技術】
【０００２】
複写機、プリンタ、ファクシミリ或いはこれらの複合機などとして構成される上記形式の画像形成装置は従来より周知である（特許文献１参照）。誘導加熱方式を採用した定着装置を有するこの種の画像形成装置によれば、定着装置の定着部材を短時間で所定の温度にまで加熱することができ、定着装置の立ち上げ時間を短縮することが可能である。ところが、かかる定着装置の電磁誘導コイルに電流を供給する電源は、その作動時に高温度となって、多量の熱を発生する。このため、この電源にて発生した熱が画像形成装置の操作者に当り、当該操作者に不快感を与えるおそれがある。
【０００３】
【特許文献１】特開２００５−２５８３８３号公報
【発明の開示】
【発明が解決しようとする課題】
【０００４】
本発明の目的は、電磁誘導コイルに電流を供給する電源にて発生した熱によって、操作者に不快感を与える不具合を阻止し、ないしは効果的に抑制することのできる冒頭に記載した形式の画像形成装置を提供することにある。
【課題を解決するための手段】
【０００５】
本発明は、上記目的を達成するため、冒頭に記載した形式の画像形成装置において、操作者が向き合う側の本体筐体前部と、該前部と反対側の本体筐体後部との間の中間位置よりも本体筐体後部の側に、前記定着装置の電源が配置されていることを特徴とする画像形成装置を提案する（請求項１）。
【０００６】
また、上記請求項１に記載の画像形成装置において、前記定着装置の電源は前記本体筐体の本体フレームを構成する後側板よりも本体筐体後部の側に配置されていると有利である（請求項２）。
【０００７】
さらに、上記請求項１又は２に記載の画像形成装置において、前記定着装置の電源にて発生した熱が、画像形成装置の電子基板に伝わることを阻止し、ないしは抑制する少なくとも１つの熱遮断壁を、前記定着装置の電源と電子基板との間に設けると有利である（請求項３）。
【０００８】
また、上記請求項１乃至３のいずれかに記載の画像形成装置において、前記定着装置の電源にて発生した熱が、トナーを収容した容器に伝わることを阻止し、ないしは抑制する少なくとも１つの熱遮断壁を、前記定着装置の電源とトナーを収容した容器との間に設けると有利である（請求項４）。
【０００９】
さらに、上記請求項３又は４に記載の画像形成装置において、前記熱遮断壁が、前記本体筐体の本体フレームによって構成されていると有利である（請求項５）。
【００１０】
また、上記請求項１乃至５のいずれかに記載の画像形成装置において、原稿画像を読み取る画像読取装置を有し、該画像読取装置は、前記本体筐体の上部に搭載されていると共に、前記定着装置の電源の上方には配置されていないように構成されていると有利である（請求項６）。
【００１１】
さらに、上記請求項１乃至６のいずれかに記載の画像形成装置において、前記本体筐体に排気口が形成されていると有利である（請求項７）。
【００１２】
また、上記請求項７に記載の画像形成装置において、前記排気口よりも下方に位置する本体筐体部分に空気取入口が形成されていると有利である（請求項８）。
【００１３】
さらに、上記請求項７又は８に記載の画像形成装置において、前記定着装置の電源よりも下方にファンが設けられていると有利である（請求項９）。
【００１４】
また、上記請求項７乃至９のいずれかに記載の画像形成装置において、前記定着装置の電源には放熱フィンが固定され、該放熱フィンは、前記電源の周辺を流れる空気の流れ方向とほぼ同じ方向に延びていると有利である（請求項１０）。
【００１５】
さらに、上記請求項１０に記載の画像形成装置において、前記定着装置の電源よりも下方に設けられたファンから流れる空気を前記放熱フィンに向けて案内するエアガイドが設けられていると有利である（請求項１１）。
【発明の効果】
【００１６】
本発明によれば、電磁誘導コイルに電流を供給する電源にて発生した熱によって、操作者に不快感を与える不具合を阻止し、ないしは効果的に抑制することができる。
【発明を実施するための最良の形態】
【００１７】
以下、本発明の実施形態例を図面に従って詳細に説明する。
【００１８】
図１は画像形成装置の一例を示す概略垂直断面図であり、図２はこの画像形成装置を斜め後方から見た外観斜視図である。ここに示した画像形成装置は、記録媒体にトナー像を形成する作像手段１と、この作像手段１によって形成された記録媒体上のトナー像を、その記録媒体に定着する定着装置２と、作像手段１に記録媒体を給送する記録媒体給送装置３と、作像手段１、定着装置２及び記録媒体給送装置３を収容する本体筐体４と、原稿画像を読み取る画像読取装置５とを具備し、画像読取装置５は、本体筐体４の上部に搭載されている。本体筐体４は、図３に示す本体フレーム６と、その本体フレーム６を覆う図２に示した外装カバー７を有しているが、図１においては、かかる本体筐体４を簡略化して示してある。
【００１９】
画像読取装置５は、それ自体周知にように、光学系８を収容した筐体９と、その筐体９の上部に固定配置されたコンタクトガラス１０と、筐体９の上部に回動可能に枢着された圧板１１とを有している。かかる画像読取装置５のコンタクトガラス１０上に原稿Ｄを載置して、その原稿Ｄを圧板１１によって押え、該原稿Ｄの画像を次にように読み取ることができる。
【００２０】
光学系８は、光源１２と第１ミラー１３とを有する第１走行体１４と、第２及び第３ミラー１５，１６を有する第２走行体１７と、結像レンズ１８と、ＣＣＤ１９とから成る。第１及び第２走行体１４，１７は図１に示した位置から右方に移動し、このとき、光源１２から出射する光によって原稿Ｄが照明され、その反射光は第１乃至第３ミラー１３，１５，１６にて反射し、次いで結像レンズ１８を通りＣＣＤ１９に入射する。このようにして原稿画像がＣＣＤ１９に結像され、該画像が画信号として読み取られる。
【００２１】
一方、図１に示した作像手段１によって記録媒体上に次のようにしてトナー像が形成される。
【００２２】
作像手段１は、ドラム状の感光体よりなる第１乃至第４の像担持体２０Ｙ，２０Ｃ，２０Ｍ，２０ＢＫを有し、これらの像担持体には、複数の支持ローラに巻き掛けられた無端ベルトより成る中間転写ベルト２１が対向配置されている。第１乃至第４の像担持体２０Ｙ乃至２０ＢＫはそれぞれ図１における時計方向に回転駆動され、中間転写ベルト２１は矢印Ａ方向に回転駆動される。このとき、第１の像担持体２０Ｙは、帯電ローラ２２によって所定の極性に帯電される。一方、光書き込みユニット２３からは、前述の画信号に基づいて光変調されたレーザビームＬが出射し、第１の像担持体２０Ｙの帯電面にそのレーザビームＬが照射される。これによって第１の像担持体２０Ｙに静電潜像が形成され、この静電潜像は現像装置２４によってイエロートナー像として可視像化される。一方、一次転写ローラ２５には、転写電圧が印加され、これによって、像担持体２０Ｙ上に形成されたトナー像が矢印Ａ方向に回転する中間転写ベルト２１上に一次転写される。トナー像転写後の像担持体２０Ｙ上に付着する転写残トナーは、クリーニング装置２６によって除去される。本例の画像形成装置においては、像担持体２０Ｙと、そのまわりに配設された帯電ローラ２２と、現像装置２４と、クリーニング装置２６とによって一体的なプロセスカートリッジ２７が構成されている。
【００２３】
上述の現像装置２４は、粉体状のトナーを収容した現像容器２８を有し、そのトナーによって静電潜像が可視像化される。また、現像容器２８内のトナー量が減少したとき、トナーボトル２９Ｙから現像容器２８にトナーが補給される。一方、クリーニング装置２６は、像担持体から除去されたトナーを受け入れるクリーニング容器３０を有し、そのクリーニング容器３０内のトナーは、トナー搬送装置によって、図示していない廃トナー容器に搬送される。このように、現像容器２８、トナーボトル２９Ｙ、クリーニング容器３０及び廃トナー容器にはトナーが収容されている。
【００２４】
上述したところと全く同様にして、第２乃至第４の像担持体２０Ｃ，２０Ｍ，２０ＢＫ上にシアントナー像、マゼンタトナー像及びブラックトナー像がそれぞれ形成され、これらのトナー像がイエロートナー像の転写された中間転写ベルト２１上に順次重ねて一次転写される。これらの像担持体２０Ｃ，２０Ｍ，２０ＢＫにトナー像を形成する現像装置の現像容器内のトナー量が減少したときも、各トナーボトル２９Ｃ，２９Ｍ，２９ＢＫから、その各現像容器にトナーが補給される。上述のようにして、中間転写ベルト２１上に転写された重ねトナー像は、後述するように、二次転写ローラ３１の作用によって記録媒体に二次転写され、その転写後の中間転写ベルト上に付着する転写残トナーは、ベルト用のクリーニング装置３２により除去される。このクリーニング装置３２のクリーニング容器６０にもトナーが収容され、そのトナーは図示していない廃トナー容器に搬送される。
【００２５】
以上のように構成された作像手段の中間転写ベルト２１の下方には、前述の記録媒体給送装置３が配置されている。この記録媒体給送装置３は、転写紙又は樹脂シートなどから成る記録媒体Ｐを収容した給紙カセット３３と、最上位の記録媒体Ｐに接触する給紙ローラ３４と、レジストローラ対３５とを有し、給紙ローラ３４の回転によって最上位の記録媒体Ｐが矢印Ｂ方向に送り出される。送り出された記録媒体は、レジストローラ対３５の回転によって、所定のタイミングで中間転写ベルト２１と、これに対向配置された二次転写ローラ３１との間に給送される。この記録媒体が中間転写ベルト２１と二次転写ローラ３１との間を通過するとき、二次転写ローラ３１には転写電圧が印加され、これによって中間転写ベルト２１上の重ねトナー像が記録媒体に二次転写される。このようにして、作像手段１により、記録媒体上にトナー像が形成されるのである。
【００２６】
次いで、この記録媒体は定着装置２を通過し、このとき作像手段１によって形成された記録媒体上のトナー像がその記録媒体に定着される。図１に一例として示した定着装置２は、第１及び第２の支持ローラ３６，３７に巻き掛けられた定着ベルト３８と、その定着ベルト３８を介して第１の支持ローラ３６に圧接した加圧ローラ３９と、これらのローラ３６，３７，３９と定着ベルト３８を収容するケース４０とを具備する定着ユニット４１を有していると共に、定着ベルト３８を加熱するための電磁誘導コイル４２と、その電磁誘導コイル４２に電流を供給する電源（以下、ＩＨ電源という）４３（図３参照）とを有している。一対の支持ローラ３６，３７は図１における反時計方向に回転し、定着ベルト３８は矢印Ｃ方向に回転駆動され、加圧ローラ３９は図１における時計方向に回転駆動される。一方、ＩＨ電源４３から電磁誘導コイル４２に電流が供給され、これにより発生した磁力線が第２の支持ローラ３７を通り、そのローラ３７にうず電流が発生する。このときのジュール熱によって第２の支持ローラ３７が発熱し、その第２の支持ローラ３７に巻き掛けられた定着ベルト３８が加熱される。定着ベルト３８の温度がトナー像の定着に適した温度となるように、電磁誘導コイル４２への通電がオン、オフ制御されるのである。定着ベルト３８にうず電流を発生させて、該定着ベルト３８を直に加熱してもよいし、定着ベルト３８と第２の支持ローラ３７の両者にうず電流を発生させ、これらを共に加熱するように構成することもできる。
【００２７】
中間転写ベルト２１からトナー像を転写された記録媒体は、そのトナー像が定着ベルト３８の表面に接する向きにして、該定着ベルト３８と加圧ローラ３９との間を通過する。このとき、記録媒体上のトナー像は、定着ベルト３８から熱を与えられると共に、定着ベルト３８と加圧ローラ３９とによって加圧される。このように記録媒体上のトナー像に熱と圧力が加えられることにより、該トナー像が記録媒体に定着される。このようしてフルカラー画像の形成された記録媒体は、矢印Ｅで示すように、本体筐体４の外装カバー上面により構成された排紙部４４上に排出される。また、図１に符号６１で示すものは、記録媒体の裏面にも画像を形成すべく、その記録媒体の表裏を反転させる反転路である。
【００２８】
図１に示した定着装置２においては、記録媒体上のトナー像に熱を与えて該トナー像を記録媒体に定着する定着部材が定着ベルト３８により構成されているが、他の定着部材を採用することもできる。例えば、加圧ローラに当接する定着ローラより成る定着部材を用い、電磁誘導コイルへの電流の供給によって、その定着ローラにうず電流を発生させて該定着ローラを加熱し、回転する定着ローラと加圧ローラの間に、トナー像を担持した記録媒体を、そのトナー像が定着ローラに接する向きにして通過させ、該トナー像を記録媒体に定着するように構成することもできる。
【００２９】
また、本例の画像形成装置は画像読取装置５を有しているが、かかる画像読取装置を省略して、画像形成装置をプリンタとして構成することもできる。
【００３０】
画像形成装置を操作する操作者は、通常、図２及び図４に一点鎖線で簡略化して示すように画像形成装置の正面に向かって立ち、所定の操作を行う。図４は、画像形成装置の本体筐体４と、これに向かって立った操作者ＯＰを、上方から見たときのこれらの位置関係を示す説明図である。ここで、本明細書においては、図２及び図４に示すように、操作者ＯＰが向き合う側の本体筐体４の部分を本体筐体前部４Ｆと称し、その本体筐体前部４Ｆと反対側の本体筐体４の部分を本体筐体後部４Ｒと称することにする。操作者ＯＰに最も近い本体筐体部分が本体筐体前部４Ｆであり、操作者ＯＰから最も離れた本体筐体部分が本体筐体後部４Ｒである。また、操作者ＯＰに近い側を「前」とし、操作者ＯＰから離れた側を「後」とする。
【００３１】
前述のように、本例の画像形成装置の本体筐体４は、図３に示した本体フレーム６と、その本体フレーム６を覆う図２に示した外装カバー７とを有している。また、本体フレーム６は、底板４５と、その底板４５に固定された前側板４６と、同じく底板４５に固定された後側板４７と、その後側板４７よりも後方に位置していて、後側板４７と底板４５とに固定された後フレーム板４８とから構成されている。かかる本体フレーム６に、前述の作像手段１の各作像要素と、定着装置２等が支持されているが、図３にはトナーボトル２９Ｙ乃至２９ＢＫ以外の作像要素及び反転路６１等の図示は省略してある。また、定着装置２の定着ユニット４１と電磁誘導コイル４２は、前側板４６と後側板４７とに支持され、これらの側板４６，４７の間に位置しているが、電磁誘導コイル４２に電流を供給するＩＨ電源４３は、後に詳しく説明するように、後フレーム板４８にねじ又はその他の固定手段によって固定支持されている。さらに、画像形成装置の制御板４９、Ｉ／Ｏ基板５０、ＩＨ電源４３以外の電源５１及び給紙ローラ３４を回転駆動する給紙用モータ（図示せず）が、後側板４７よりも後方に配置されて本体フレーム６に固定支持されている。
【００３２】
上述の本体フレーム６を覆う外装カバー７は、図２に示すように、本体フレーム６に着脱可能に固定された複数のカバー部材７Ａ，７Ｂ，７Ｃ，７Ｄと、前側のカバー部材に回動可能に枢着された開閉ドア７Eとから構成されている。このようにして、図１に示した作像手段１と、定着装置２と、他の装置が本体筐体４に収容される。
【００３３】
ここで、電磁誘導コイル４２に電流を供給するＩＨ電源４３は集積回路を有していて、ＩＨ電源４３の作動時に、その集積回路が高熱を発生させる。このため、そのＩＨ電源４３にて発生した熱が画像形成装置の操作者ＯＰに当ると、操作者に不快感を与えるおそれがある。
【００３４】
そこで、本例の画像形成装置においては、図３及び図４に示すように、本体筐体前部４Ｆと、本体筐体後部４Ｒとの間の中間位置ＣＬよりも本体筐体後部４Ｒの側に、定着装置２のＩＨ電源４３が配置されている。図示した例では、定着装置２のＩＨ電源４３が、本体筐体４の本体フレーム６を構成する後側板４７よりも本体筐体後部４Ｒの側に配置されていて、後側板４７の後方に位置する後フレーム板４８に固定支持されている。このように、ＩＨ電源４３が、本体筐体前部４Ｆから後方に大きく離れた位置に配置されているので、操作者ＯＰはＩＨ電源４３から大きく離れた位置で画像形成装置を操作することになる。このため、ＩＨ電源４３にて発生した熱が操作者ＯＰに当ることを阻止し、ないしは効果的に抑制することができ、操作者ＯＰに不快感を与えることを防止することができる。
【００３５】
なお、図２に示すように、ＩＨ電源４３に対向して位置するカバー部材７Ａを外すことによって、ＩＨ電源４３を後フレーム板４８に対して着脱することができる。
【００３６】
また、本例の画像形成装置においては、ＩＨ電源４３が電磁誘導コイル４２の近傍に配置されており、これによってＩＨ電源４３と電磁誘導コイル４２とを電気的に接続する電線（図示せず）の長さを短くすることができる。これにより効率よく定着ベルト３８を加熱することが可能となる。
【００３７】
また、ＩＨ電源４３にて発生した熱が、制御板４９やＩ／Ｏ基板５０などの電子基板や、ＩＨ電源以外の電源５１に伝わり、これらの温度が過度に上昇すると、その電子基板や電源が誤動作するおそれがある。ところが、本例の画像形成装置においては、図３に示したように、制御板４９、Ｉ／Ｏ基板５０及び電源５１と、ＩＨ電源４３との間に、後フレーム板４８が位置していて、ＩＨ電源４３にて発生した熱が、制御板４９、Ｉ／Ｏ基板５０及び電源５１に伝わることを後フレーム板４８によって阻止し、ないしは効果的に抑制することができる。これにより、電子基板や電源５１が誤動作する不具合を阻止することができる。このように、後フレーム板４８は、定着装置２のＩＨ電源４３にて発生した熱が、画像形成装置の電子基板に伝わることを阻止し、ないしは抑制する熱遮断壁としての用をなし、かかる熱遮断壁が定着装置２のＩＨ電源４３と電子基板との間に設けられているのである。勿論、後フレーム板以外の熱遮断壁を用いてもよく、また熱遮断壁を複数設けることもできる。
【００３８】
前述のように、図１に示した現像容器２８、トナーボトル２９Ｙ乃至２９ＢＫ、クリーニング容器３０，６０、及び図示していない廃トナー容器にはトナーが収容されており、かかる容器は前側板４６と後側板４７の間に配置されている。ここで、トナーを収容したこれらの容器に、ＩＨ電源４３にて発生した熱が伝わり、そのトナーが加熱されると当該トナーが溶融するおそれがある。ところが、本例の画像形成装置においては、ＩＨ電源４３が、後側板４７よりも後方に配置されていると共に、トナーボトル２９Ｙ乃至２９ＢＫが位置する側と反対側の後フレーム板４８の面に配置されているので、ＩＨ電源４３にて発生した熱が、トナーを収容した容器に伝わることを、後側板４７と後フレーム板４８によって阻止し、ないしは効果的に抑制することができ、トナーを収容した容器内のトナーが溶融することを防止することができる。このように、後側板４７と後フレーム板４８は、定着装置２のＩＨ電源４３にて発生した熱が、トナーを収容した容器に伝わることを阻止し、ないしは抑制する熱遮断壁としての用をなし、かかる熱遮断壁が定着装置２のＩＨ電源４３とトナーを収容した容器との間に設けられているのである。勿論、この場合も、後側板以外の熱遮断壁を用いてもよく、また熱遮断壁は、少なくとも１つ設けられるものである。
【００３９】
上述のように、本例の画像形成装置においては、熱遮断壁が本体筐体４の本体フレーム６によって構成されているので、独立した熱遮断壁を設けた場合に比べて、画像形成装置のコストを低減することができる。
【００４０】
ところで、本例の画像形成装置は、原稿画像を読み取る画像読取装置５を有し、その画像読取装置５は本体筐体４の上部に搭載されている。かかる画像読取装置５は、前述のようにミラー１３，１５，１６や結像レンズ１８などの光学素子を有しており、かかる光学阻止が、ＩＨ電源４３にて発生した熱による悪影響を受けると、原稿画像を正しく読み取ることができなくなる。そこで、本例の画像形成装置においては、図１及び図２に示すように、画像読取装置５が、定着装置２のＩＨ電源４３の上方の空間Ｓには配置されていない。これにより、画像読取装置５がＩＨ電源４３にて発生した熱の影響を受け難くなり、画像読取装置５によって常に原稿画像を正しく読み取ることができる。
【００４１】
また、本例の画像形成装置においては、本体筐体に排気口が形成されている。図示した例では、図２及び図３に示すように、本体筐体４の外装カバー７を構成するカバー部材７Ａの上部と、後フレーム板４８の上部に、それぞれ複数の排気口５４，５５が形成されている。これにより、ＩＨ電源４３の熱によって加熱された空気を、排気口５４，５５を通して効率よく本体筐体４外に排出させることができるので、トナーが溶融したり、電子基板が誤動作する不具合をより確実に防止することができる。
【００４２】
また、本例の画像形成装置においては、上述の排気口５４，５５のほかに、その排気口５４，５５よりも下方に位置する本体筐体部分に空気取入口が形成されている。図示した例では、図２に示すように、カバー部材７Ａの下部に複数の空気取入口５６が形成され、これらの空気取入口５６から外部の空気が取り入れられる。これにより、ＩＨ電源４３から発する熱をより効率よく本体筐体外に排出させることができる。
【００４３】
さらに、図１、図３及び図５に示すように、定着装置２のＩＨ電源４３よりも下方にファン５７が配置され、そのファン５７は後フレーム板４８に固定支持されている。かかるファン５７を作動させることによって、本体筐体４内の熱せられた空気を強制的に排気口５４，５５から排出させることができ、本体筐体内の冷却効果を一層高めることができる。
【００４４】
また、図３及び図５に示すように、定着装置２のＩＨ電源４３に放熱フィン（図２には示さず）５８が固定され、その放熱フィン５８は、ＩＨ電源４３の周辺を流れる空気の流れ方向とほぼ同じ方向に延びている。これにより、ＩＨ電源４３をより効率よく冷却することができる。
【００４５】
さらに、図５及び図６に示すように、カバー部材７Ａの内側面に、定着装置２のＩＨ電源４３よりも下方に設けられたファン５７から流れる空気を放熱フィン５８に向けて案内するエアガイド５９が設けられており、これによって、図５に破線矢印で示したように空気を案内して放熱フィン５８を集中的に冷却し、ＩＨ電源４３の冷却効果をさらに高めることができる。
【００４６】
以上、記録媒体にフルカラー画像を形成する作像手段を備えた画像形成装置を説明したが、本発明は、記録媒体に専ら単色画像を形成する作像手段を備えた画像形成装置などにも広く適用できるものである。
【図面の簡単な説明】
【００４７】
【図１】画像形成装置の垂直断面図である。
【図２】図１に示した画像形成装置を斜め後方から見た外観斜視図である。
【図３】本体フレームを示す斜視図である。
【図４】本体筐体と、ＩＨ電源とを上方から見たときの配置状態を示す説明図である。
【図５】図２の矢印Ｖ方向に見た図である。
【図６】カバー部材の斜視図である。
【符号の説明】
【００４８】
１  作像手段
２  定着装置
４Ｆ  本体筐体前部
４Ｒ  本体筐体後部
５  画像読取装置
６  本体フレーム
４２  電磁誘導コイル
４３  電源
４７  後側板
５４，５５  排気口
５６  空気取入口
５７  ファン
５８  放熱フィン
５９  エアガイド
ＣＬ  中間位置
ＯＰ  操作者
Ｐ  記録媒体
【図１】
2007286260.tif 000003
【図２】
2007286260.tif 000004
【図３】
2007286260.tif 000005
【図４】
2007286260.tif 000006
【図５】
2007286260.tif 000007
【図６】
2007286260.tif 000008